(57)【要約】【課題】複数の異なる電子チラシのそれぞれに掲載されている商品に関する情報を商品別に提供するための情報を生成する。【解決手段】広告商品情報生成装置２の広告記憶部２１１は、広告の画像データである広告画像と、広告に関する情報を含む広告情報とを対応付けて記憶する。領域情報受信部２５２は、表示部２３に表示された広告画像において入力部２２により選択された商品の掲載領域の情報を受信する。広告商品画像生成部２５３は、広告画像における掲載領域の画像に基づいて広告商品画像を生成する。広告商品情報生成部２５４は、生成された広告商品画像と、広告画像に対応した広告情報から取得した広告に関する情報及び入力部２２により入力された商品に関する情報を含むメタ情報とを対応付けた広告商品情報を生成し、広告商品情報記憶部２１２に書き込む。【選択図】図２
2017182728.tif 000002
【特許請求の範囲】
【請求項１】
広告の画像データである広告画像と、前記広告に関する情報を含む広告情報とを対応付けて記憶する広告記憶部と、
前記広告画像において広告されている商品の画像である広告商品画像と、前記広告に関する情報及び前記商品に関する情報を含むメタ情報とを対応付けた広告商品情報を記憶する広告商品情報記憶部と、
ユーザの操作を入力する入力部と、
画面を表示する表示部と、
前記表示部に表示された前記広告画像において前記入力部により選択された商品の掲載領域の情報を受信する領域情報受信部と、
前記広告画像における前記掲載領域の画像に基づいて広告商品画像を生成する広告商品画像生成部と、
前記広告商品画像と、前記広告画像に対応した前記広告情報から取得した前記広告に関する情報及び前記入力部により入力された前記商品に関する情報を含むメタ情報とを対応付けた広告商品情報を生成し、前記広告商品情報記憶部に書き込む広告商品情報生成部と、
を備えることを特徴とする広告商品情報生成装置。
【請求項２】
前記領域情報受信部は、前記入力部により選択された前記商品の掲載領域の形状又は大きさが所定の条件を満たさない場合、掲載領域の選択が正常に行われなかった旨を前記表示部に表示する、
ことを特徴とする請求項１に記載の広告商品情報生成装置。
【請求項３】
受信した検索条件に基づいて前記広告商品情報を選択し、選択された前記広告商品情報に含まれる前記広告商品画像又は前記広告商品画像の記憶場所と、選択された前記広告商品情報に含まれる前記メタ情報の少なくとも一部の情報とを出力する情報提供部をさらに備える、
ことを特徴とする請求項１又は請求項２に記載の広告商品情報生成装置。
【請求項４】
前記広告商品画像生成部は、形状又は大きさが異なる複数の広告商品画像を生成する、
ことを特徴とする請求項３に記載の広告商品情報生成装置。
【請求項５】
前記広告情報から取得した前記広告に関する情報は、広告主に関する情報及び広告の配信期間の情報を含み、
前記入力部により入力された前記商品に関する情報は、商品名と、商品の価格と、商品の種別と、商品に関連するイベントとのうち少なくとも一部の情報を含む、
ことを特徴とする請求項３又は請求項４に記載の広告商品情報生成装置。
【請求項６】
前記情報提供部は、受信した前記検索条件と前記広告商品情報に含まれる前記配信期間とに基づいて前記広告商品情報を選択する、
ことを特徴とする請求項５に記載の広告商品情報生成装置。
【請求項７】
広告商品情報生成装置が実行する広告商品情報生成方法であって、
前記広告商品情報生成装置は、
広告の画像データである広告画像と、前記広告に関する情報を含む広告情報とを対応付けて記憶する広告記憶部と、
前記広告画像において広告されている商品の画像である広告商品画像と、前記広告に関する情報及び前記商品に関する情報を含むメタ情報とを対応付けた広告商品情報を記憶する広告商品情報記憶部と、
ユーザの操作を入力する入力部と、
画面を表示する表示部とを備え、
前記広告商品情報生成装置において、
領域情報受信部が、前記表示部に表示された前記広告画像において前記入力部により選択された商品の掲載領域の情報を受信する選択領域情報受信過程と、
広告商品画像生成部が、前記広告画像における前記掲載領域の画像に基づいて広告商品画像を生成する広告商品画像生成過程と、
広告商品情報生成部が、前記広告商品画像と、前記広告画像に対応した前記広告情報から取得した前記広告に関する情報及び前記入力部により入力された前記商品に関する情報を含むメタ情報とを対応付けた広告商品情報を生成し、前記広告商品情報記憶部に書き込む広告商品情報生成過程と、
を有することを特徴とする広告商品情報生成方法。
【発明の詳細な説明】
【技術分野】
【０００１】
本発明は、広告商品情報生成装置及び広告商品情報生成方法に関する。
【背景技術】
【０００２】
折り込みチラシの画像データである電子チラシをユーザの端末に配信するシステムがある（例えば、特許文献１参照）。ユーザは、目的の商品をどこの店舗で買うかを、自分の端末に配信された電子チラシを閲覧して決める。
【先行技術文献】
【特許文献】
【０００３】
【特許文献１】特開２０１３−０７７３２０号公報
【発明の概要】
【発明が解決しようとする課題】
【０００４】
ユーザが商品を購入する場合、各店舗の電子チラシの中から購入対象の商品を見つけ出し、販売価格などの情報を得ることによって、購入先の店舗を決めている。しかし、ユーザにとって、配信された多くの電子チラシを１枚１枚閲覧し、電子チラシに掲載されている購入対象の商品を見つけ出すことは非常に煩雑であった。そこで、複数の店舗それぞれの電子チラシに掲載されている商品の情報を、商品別にユーザに提供することができれば、ユーザの利便性が向上する。
【０００５】
本発明は、このような事情を考慮してなされたもので、複数の異なる電子チラシのそれぞれに掲載されている商品に関する情報を商品別に提供するための情報を生成することができる広告商品情報生成装置及び広告商品情報生成方法を提供する。
【課題を解決するための手段】
【０００６】
上記目的を達成するために、本発明は、広告の画像データである広告画像と、前記広告に関する情報を含む広告情報とを対応付けて記憶する広告記憶部と、前記広告画像において広告されている商品の画像である広告商品画像と、前記広告に関する情報及び前記商品に関する情報を含むメタ情報とを対応付けた広告商品情報を記憶する広告商品情報記憶部と、ユーザの操作を入力する入力部と、画面を表示する表示部と、前記表示部に表示された前記広告画像において前記入力部により選択された商品の掲載領域の情報を受信する領域情報受信部と、前記広告画像における前記掲載領域の画像に基づいて広告商品画像を生成する広告商品画像生成部と、前記広告商品画像と、前記広告画像に対応した前記広告情報から取得した前記広告に関する情報及び前記入力部により入力された前記商品に関する情報を含むメタ情報とを対応付けた広告商品情報を生成し、前記広告商品情報記憶部に書き込む広告商品情報生成部と、を備えることを特徴とする広告商品情報生成装置である。
【０００７】
また、本発明は、上述の広告商品情報生成装置であって、前記領域情報受信部は、前記入力部により選択された前記商品の掲載領域の形状又は大きさが所定の条件を満たさない場合、掲載領域の選択が正常に行われなかった旨を前記表示部に表示する、ことを特徴とする。
【０００８】
また、本発明は、上述の広告商品情報生成装置であって、受信した検索条件に基づいて前記広告商品情報を選択し、選択された前記広告商品情報に含まれる前記広告商品画像又は前記広告商品画像の記憶場所と、選択された前記広告商品情報に含まれる前記メタ情報の少なくとも一部の情報とを出力する情報提供部をさらに備える、ことを特徴とする。
【０００９】
また、本発明は、上述の広告商品情報生成装置であって、前記広告商品画像生成部は、形状又は大きさが異なる複数の広告商品画像を生成する、ことを特徴とする。
【００１０】
また、本発明は、上述の広告商品情報生成装置であって、前記広告情報から取得した前記広告に関する情報は、広告主に関する情報及び広告の配信期間の情報を含み、前記入力部により入力された前記商品に関する情報は、商品名と、商品の価格と、商品の種別と、商品に関連するイベントとのうち少なくとも一部の情報を含む、ことを特徴とする。
【００１１】
また、本発明は、上述の広告商品情報生成装置であって、前記情報提供部は、受信した前記検索条件と前記広告商品情報に含まれる前記配信期間とに基づいて前記広告商品情報を選択する、ことを特徴とする。
【００１２】
また、本発明は、広告商品情報生成装置が実行する広告商品情報生成方法であって、前記広告商品情報生成装置は、広告の画像データである広告画像と、前記広告に関する情報を含む広告情報とを対応付けて記憶する広告記憶部と、前記広告画像において広告されている商品の画像である広告商品画像と、前記広告に関する情報及び前記商品に関する情報を含むメタ情報とを対応付けた広告商品情報を記憶する広告商品情報記憶部と、ユーザの操作を入力する入力部と、画面を表示する表示部とを備え、前記広告商品情報生成装置において、領域情報受信部が、前記表示部に表示された前記広告画像において前記入力部により選択された商品の掲載領域の情報を受信する選択領域情報受信過程と、広告商品画像生成部が、前記広告画像における前記掲載領域の画像に基づいて広告商品画像を生成する広告商品画像生成過程と、広告商品情報生成部が、前記広告商品画像と、前記広告画像に対応した前記広告情報から取得した前記広告に関する情報及び前記入力部により入力された前記商品に関する情報を含むメタ情報とを対応付けた広告商品情報を生成し、前記広告商品情報記憶部に書き込む広告商品情報生成過程と、を有することを特徴とする。
【発明の効果】
【００１３】
本発明によれば、複数の異なる電子チラシのそれぞれに掲載されている商品に関する情報を商品別に提供するための情報を生成することができる。
【図面の簡単な説明】
【００１４】
【図１】本発明の一実施形態による広告商品情報提供システムの構成図である。
【図２】同実施形態による広告商品情報生成装置の機能ブロック図である。
【図３】同実施形態による広告管理情報のデータ例を示す図である。
【図４】同実施形態による広告商品情報のデータ例を示す図である。
【図５】同実施形態による広告商品情報生成装置における広告商品情報生成処理を示す処理フローである。
【図６】同実施形態による広告商品情報生成のための情報入力画面例を示す図である。
【図７】同実施形態による広告商品情報生成装置における広告商品情報生成処理を示す処理フローである。
【図８】同実施形態による検索結果情報の例を示す図である。
【図９】同実施形態による検索結果情報の他の例を示す図である。
【発明を実施するための形態】
【００１５】
以下、図面を参照しながら本発明の実施形態を詳細に説明する。
図１は、本発明の一実施形態による広告商品情報提供システム１の構成図である。同図に示すように、広告商品情報提供システム１は、広告商品情報生成装置２と、広告商品情報提供装置３と、ユーザ端末４とを備えて構成される。広告商品情報生成装置２と広告商品情報提供装置３とは、ネットワーク８を介して接続される。ネットワーク８は、インターネットなどの公衆網を含んだネットワークでもよく、私設網を含んだネットワークでもよい。広告商品情報提供装置３とユーザ端末４とは、ネットワーク９を介して接続される。ネットワーク９は、インターネットなどの公衆網を含んだネットワークである。同図においては、広告商品情報提供装置３とユーザ端末４を１台ずつ示しているが、それぞれ複数台であってもよい。また、広告商品情報提供装置３が広告商品情報生成装置２に統合されてもよい。広告商品情報提供装置３は、例えばウェブサーバなどのコンピュータ装置である。ユーザ端末４は、例えば、ユーザが利用するパーソナルコンピュータ、スマートフォン、タブレット端末などのコンピュータ端末である。
【００１６】
図２は、広告商品情報生成装置２の構成を示す機能ブロック図であり、本実施形態と関係する機能ブロックのみを抽出して示してある。広告商品情報生成装置２は、１以上のコンピュータ装置により実現される。広告商品情報生成装置２は、記憶部２１と、入力部２２と、表示部２３と、通信部２４と、処理部２５とを備えて構成される。広告商品情報生成装置２が複数台のコンピュータ装置により実現される場合は、いずれの機能部をいずれのコンピュータ装置が実現するかは任意とすることができる。また、同一の機能部を複数台のコンピュータ装置により実現してもよい。
【００１７】
記憶部２１は、広告記憶部２１１と、広告商品情報記憶部２１２とを備える。
広告記憶部２１１は、広告管理情報を記憶する。広告管理情報は、広告の画像データである広告画像と、広告に関する情報を含む広告情報とを対応付けた情報である。広告に関する情報には、広告主に関する情報や、広告の配信期間の情報などがある。
広告商品情報記憶部２１２は、広告商品情報を記憶する。広告商品情報は、広告画像において広告されている商品の画像である広告商品画像と、広告に関する情報及び商品に関する情報を含むメタ情報とを対応付けた情報である。
【００１８】
入力部２２は、例えば、キーボードやマウスであり、ユーザの操作を入力する。表示部２３は、ディスプレイであり、画面を表示する。表示部２３がタッチパネルである場合、入力部２２は、タッチパネルに配されたタッチセンサである。通信部２４は、ネットワーク８を介して広告商品情報提供装置３とデータを送受信する。
【００１９】
処理部２５は、表示制御部２５１と、領域情報受信部２５２と、広告商品画像生成部２５３と、広告商品情報生成部２５４と、情報提供部２５５とを備える。
表示制御部２５１は、画像を表示部２３に表示させる。
領域情報受信部２５２は、表示部２３に表示された広告画像において、入力部２２により選択された商品の掲載領域の情報を受信する。領域情報受信部２５２は、入力部２２により選択された商品の掲載領域の形状又は大きさが所定の条件を満たさない場合、掲載領域の選択が正常に行われなかった旨を表示部２３に表示させる。領域情報受信部２５２は、入力部２２により選択された商品の掲載領域の形状又は大きさが所定の条件を満たす場合、掲載領域の情報を広告商品画像生成部２５３に出力する。
【００２０】
広告商品画像生成部２５３は、広告画像における掲載領域の画像を用いて広告商品画像を生成する。広告商品画像生成部２５３は、形状又は大きさが異なる複数の広告商品画像を生成してもよい。生成する広告商品画像の形状や大きさは、予め広告商品情報生成装置２に設定される。広告商品情報生成部２５４は、掲載領域が選択された広告画像に対応する広告情報から取得した広告に関する情報と、入力部２２により入力された商品に関する情報とを含むメタ情報を生成する。広告情報から取得される広告に関する情報は、広告主に関する情報及び広告の配信期間の情報を含む。商品に関する情報は、商品名と、商品の価格と、商品の種別と、商品に関連するイベントとのうち少なくとも一部の情報を含む。広告商品情報生成部２５４は、メタ情報と、広告商品画像生成部２５３が生成した広告商品画像とを対応付けた広告商品情報を広告商品情報記憶部２１２に登録する。
【００２１】
情報提供部２５５は、広告商品情報提供装置３から検索条件を受信する。情報提供部２５５は、受信した検索条件と、広告商品情報に含まれる配信期間の情報とに基づいて広告商品情報を選択する。情報提供部２５５は、選択された広告商品情報に含まれる広告商品画像又は広告商品画像の記憶場所と、選択された広告商品情報に含まれるメタ情報との少なくとも一部の情報とを設定した広告商品情報検索結果を、検索条件の送信元の広告商品情報提供装置３に出力する。
【００２２】
図３は、広告管理情報のデータ例を示す図である。同図に示すように、広告管理情報は、広告画像又は広告画像の記憶場所の情報と、広告情報とを対応付けた情報である。広告画像には、例えば、折り込みチラシとして紙媒体に印刷される画像データや、印刷された折り込みチラシをスキャナによって読み取ったデータである電子チラシを用いることができる。広告情報は、広告主情報と広告の配信期間の情報とを含む。同図に示す広告主情報は、店舗名、店舗住所、店舗電話番号、店舗地図、リンク先ＵＲＬ（Universal Resource Locator）など、広告主に関する情報を含む。店舗名は、広告主である店舗の名称を示す。店舗住所は、店舗の住所を示す。店舗電話番号は、店舗の電話番号を示す。店舗地図は、店舗の所在地を示した地図のデータ又はその地図のデータの記憶場所である。リンク先ＵＲＬは、例えば、店舗のホームページのＵＲＬや、電子チラシを配信しているサイトのＵＲＬなどである。
【００２３】
図４は、広告商品情報のデータ例を示す図である。同図に示すように、広告商品情報は、広告商品画像又は広告商品画像の記憶場所の情報と、メタ情報とを対応付けた情報である。メタ情報は、広告に関する情報及び商品に関する情報を含む。同図に示すメタ情報は、広告に関する情報として、広告主に関する情報と広告の配信期間の情報とを含む。広告主に関する情報は、広告情報から取得された店舗名、店舗住所、店舗電話番号、店舗地図、リンク先ＵＲＬなどの情報を含む。また、メタ情報は、商品に関する情報として、商品種別、商品名、商品の価格、価格が税込であるか本体価格であるか、商品に関するイベントなどの情報を含む。商品名は、商品の名称を示す。商品種別は、商品が属する種別を示す。商品種別は、例えば、「食品−惣菜・弁当−寿司」や、「アウトドア用品−レジャーシート」などのように階層化されたカテゴリにより示されるものであってもよい。
【００２４】
図５は、広告商品情報生成装置２における広告商品情報生成処理を示す処理フローである。広告記憶部２１１には、予め広告管理情報が記憶されている。広告商品情報生成装置２は、広告画像が選択される度に、図５の処理を行う。
【００２５】
表示制御部２５１は、広告記憶部２１１に記憶されている広告管理情報の中から、ユーザが入力部２２に入力した情報により広告商品情報生成対象の広告管理情報を選択する。表示制御部２５１は、選択した広告管理情報に含まれる広告画像を広告記憶部２１１から読み出し、表示部２３に表示する（ステップＳ１０５）。ユーザは、表示部２３に表示された広告画像において広告商品情報生成対象の商品の画像が掲載されている領域を入力部２２により選択する。領域情報受信部２５２は、入力部２２により選択された商品の掲載領域の情報を受信する（ステップＳ１１０）。
【００２６】
領域情報受信部２５２は、入力部２２により選択された商品の掲載領域の形状や大きさが所定の条件を満たさすか否かを判断する（ステップＳ１１５）。この条件として、縦の長さの上限及び下限、横の長さの上限及び下限、領域の面積の上限及び下限、アスペクト比の上限及び下限、画素数の上限及び下限のうち何れか又は２以上の任意の組合せを用いることができる。また、この条件は、広告画像の解像度ごとに異なる設定であってもよい。
【００２７】
領域情報受信部２５２は、掲載領域の形状又は大きさが所定の条件を満たさないと判断した場合（ステップＳ１１５：ＮＯ）、掲載領域の選択が正常に行われなかった旨のエラーメッセージの表示を表示制御部２５１に指示する。表示制御部２５１は、エラーメッセージを表示部２３に表示する（ステップＳ１２０）。広告商品情報生成装置２は、ステップＳ１１０からの処理を繰り返す。
【００２８】
領域情報受信部２５２は、掲載領域の形状及び大きさが所定の条件を満たすと判断した場合（ステップＳ１１５：ＹＥＳ）、掲載領域の情報を広告商品画像生成部２５３に出力する。広告商品画像生成部２５３は、広告画像から掲載領域の画像を抽出する。広告商品画像生成部２５３は、抽出した画像を加工して、予め決められた複数の形状やサイズそれぞれの広告商品画像を生成する（ステップＳ１２５）。例えば、選択された掲載領域及び広告商品画像の形状が矩形であるとする。領域情報受信部２５２は、抽出された画像の縦及び横が、予め決められた広告商品画像サイズの縦及び横と同じサイズとなるように、抽出した画像を拡大又は縮小する。あるいは例えば、領域情報受信部２５２は、抽出した画像の縦又は横の一方が、広告商品画像サイズの縦又は横と同じサイズとなるように、抽出した画像を拡大又は縮小する。拡大又は縮小された画像が広告商品画像サイズよりも大きな場合は、拡大又は縮小された画像から広告商品画像の形状の画像を切り出し、広告商品画像とする。拡大又は縮小された画像が広告商品画像サイズよりも小さな場合は、予め用意された色や模様の画像を拡大又は縮小された画像を上下又は左右に付加し、広告商品画像サイズと同じ大きさの画像を生成する。広告商品画像生成部２５３は、生成した広告商品画像を広告商品情報記憶部２１２に書き込む。
【００２９】
表示制御部２５１は、入力された商品に関する情報を入力するためのダイアログボックスを表示部２３に表示する（ステップＳ１３０）。ユーザは、ダイアログボックスに含まれるプルダウンメニューや、入力フィールドを利用して、入力部２２により商品に関する情報を入力する。広告商品情報生成部２５４は、ユーザが入力部２２により入力した商品に関する情報を受信する（ステップＳ１３５）。広告商品情報生成部２５４は、入力された商品に関する情報と、表示中の広告画像に対応付けられた広告情報から取得した広告に関する情報とを含むメタ情報を生成する。広告商品情報生成部２５４は、生成したメタ情報と、ステップＳ１２５において生成された広告商品画像又は広告商品画像の記憶領域の情報とを含む広告商品情報を生成し、広告商品情報記憶部２１２に書き込む（ステップＳ１４０）。
ユーザが入力部２２により終了操作を入力した場合（ステップＳ１４５：ＹＥＳ）、処理部２５は図５の処理を終了し、終了操作を入力しなかった場合（ステップＳ１４５：ＮＯ）、ステップＳ１１０からの処理を繰り返す。
【００３０】
図６は、広告商品情報生成のための情報入力画面の例を示す図である。
表示制御部２５１は、広告画像Ｇ１を表示部２３に表示している（図５のステップＳ１０５）。表示制御部２５１は、既に広告商品情報の生成に利用された掲載領域Ａ１、Ａ２と、その掲載領域Ａ１、Ａ２のそれぞれについて入力された商品に関する情報の一部を表示する表示ボックスＢ１、Ｂ２とを、広告画像Ｇ１上に表示している。同図では、表示ボックスＢ１、Ｂ２に、商品名、カテゴリ、価格、税込／本体価格に関する情報が表示されている。
【００３１】
新たな広告商品情報を生成するため、ユーザは、広告画像Ｇ１において、矩形の掲載領域Ａ３の対角の位置をマウスにより指定する（図５のステップＳ１１０）。領域情報受信部２５２は、掲載領域Ａ３が所定の形状や大きさの条件を満たすと判断する（図５のステップＳ１１５：ＹＥＳ）。表示制御部２５１は、商品に関する情報を入力するためのダイアログボックスＢ３を表示する（図５のステップＳ１３０）。表示制御部２５１は、掲載領域Ａ３及びダイアログボックスＢ３を除く部分の画像を、輝度を低く表示したり、暗い色や白っぽい色で表示したり、色彩を落として表示したりする。ダイアログボックスＢ３には、商品名の入力フィールド、商品のカテゴリを選択するためのプルダウンメニュー、商品の価格の入力フィールド、価格が税込か本体価格であるかを選択するためのプルダウンメニューが含まれる。また、ダイアログボックスＢ３には、選択された掲載領域の縦幅及び横幅の情報が表示される。ダイアログボックスＢ３においてその他の詳細設定が選択された場合、さらに、商品に関する他の情報を入力するための入力フィールドやプルダウンメニュー、ボタン等がさらにダイアログボックスＢ３内に表示される。ユーザは、入力部２２により、商品に関する情報を入力した後、ボタン「追加する」を押下する。これにより、広告商品情報生成部２５４は、広告商品情報を生成する（図５のステップＳ１４０）。
【００３２】
図７は、広告商品情報生成装置２における広告商品情報提供処理を示す処理フローである。
広告商品情報生成装置２の情報提供部２５５は、広告商品情報提供装置３から、検索条件を受信する（ステップＳ２０５）。検索条件は、広告商品情報提供サイトのオペレータが広告商品情報提供装置３に入力した条件であってもよく、広告商品情報提供装置３がユーザ端末４から受信した情報に基づく検索条件であってもよい。検索条件は、メタ情報を構成する情報のうち、１以上の情報の設定値により示される。
【００３３】
情報提供部２５５は、受信した検索条件と、広告商品情報に含まれる配信期間の情報とに基づいて広告商品情報を選択する（ステップＳ２１０）。例えば、情報提供部２５５は、検索条件を受信した日時、又は、検索条件を受信した日時から所定時間を加算した日時が含まれる配信期間が設定された広告商品情報のうち、検索条件に合致した情報が設定された広告商品情報を選択する。例えば、情報提供部２５５は、検索条件が「行楽」であれば、イベントに「行楽」が含まれる広告商品情報を選択する。また、情報提供部２５５は、検索条件に地域及び商品種別「牛肉」が設定されていれば、検索条件が示す地域に含まれる店舗住所又はその地域から所定距離以内の店舗住所が設定され、かつ、商品種別に「牛肉」が含まれる広告商品情報を選択する。
【００３４】
なお、検索条件に配信期間が含まれる場合、情報提供部２５５は、検索条件に含まれる配信期間を包含する配信期間が設定された広告商品情報、又は、検索条件に含まれる配信期間の少なくとも一部を含んだ配信期間が設定された広告商品情報を選択する。検索条件に含まれる配信期間を包含する配信期間、又は、検索条件に含まれる配信期間の少なくとも一部を含んだ配信期間のいずれが設定された広告商品情報を選択するかは、予め決められてもよく、検索条件として設定されてもよい。情報提供部２５５は、配信期間に基づいて選択された広告商品情報の中から、検索条件に含まれる配信期間以外の条件に合致した情報が設定された広告商品情報を選択する。
【００３５】
情報提供部２５５は、選択された広告商品情報に含まれる広告商品画像又は広告商品画像の記憶場所と、選択された広告商品情報に含まれるメタ情報の少なくとも一部の情報とを設定した検索結果情報を生成する（ステップＳ２１５）。例えば、情報提供部２５５は、検索条件の送信元の広告商品情報提供装置３ごとに、予め検索結果情報に設定するメタ情報を決めてもよく、広告商品情報提供装置３から検索結果情報に設定するメタ情報を検索条件と併せて受信してもよい。また、情報提供部２５５は、検索条件の送信元の広告商品情報提供装置３ごとに予め決められたフォーマットやデータ形式の検索結果情報を生成してもよく、検索結果情報に使用するフォーマットやデータ形式の情報を検索条件と併せて受信してもよい。例えば、情報提供部２５５は、汎用的に使用されている表計算ソフトウェアにおいて取り扱うことが可能なファイルとして検索結果情報を生成してもよい。情報提供部２５５は、検索条件の送信元の広告商品情報提供装置３に検索結果情報を返送する（ステップＳ２２０）。
【００３６】
広告商品情報提供装置３は、受信した検索結果情報に含まれる広告商品情報を利用して、商品毎に広告商品情報を提供するウェブページを生成する。広告商品情報提供装置３は、複数のサイズの広告商品画像のうち、所望のサイズの広告商品画像を検索結果情報から、又は、検索結果情報に設定されている商品画像の記憶場所を利用して広告商品情報記憶部２１２から取得する。広告商品情報提供装置３は、生成したウェブページをユーザ端末４に送信する。ユーザ端末４は、受信したウェブページをブラウザにより表示する。
【００３７】
図８は、検索結果情報の例を示す図である。同図は、検索条件がイベント「行楽」である場合の例を示す図である。同図では、情報提供部２５５は、検索により得られた各広告商品情報から取得した情報を、商品の種別ごとにまとめて検索結果情報に設定する。情報提供部２５５は、検索結果情報に、所定のサイズの広告商品画像を設定し、他の各サイズの広告商品画像については記憶場所の情報を設定する。
【００３８】
図９は、検索結果情報の他の例を示す図である。同図では、情報提供部２５５は、検索により得られた各広告商品情報を、異なる複数の表示形式で検索結果情報に設定する。これにより、広告商品情報提供装置３は、所望の表示形式の広告商品情報を選択して、広告商品情報を提供するウェブページを生成することができる。
【００３９】
上述した実施形態によれば、広告商品情報生成装置２は、複数の異なる電子チラシのそれぞれに掲載されている商品に関する情報を商品別に提供するための広告商品情報を生成し、生成した広告商品情報を広告商品情報提供装置３からユーザ端末４に提供することができる。
【００４０】
なお、上記においては、広告商品情報生成装置２は、広告商品情報提供装置３に検索条件に応じた広告商品情報を提供しているが、他の目的で広告商品情報を利用する企業などの装置へ広告商品情報を提供してもよい。例えば、広告主である店舗の装置が広告商品情報生成装置２から自店舗の広告商品情報を受信し、受信した広告商品情報を店内のディスプレイに表示してもよい。また、広告商品情報生成装置２から取得した広告商品情報を利用して、商品の価格調査などに利用することもできる。広告商品情報生成装置２は、広告商品情報のうち検索結果情報により提供する情報の種類、及び、検索結果情報に利用するフォーマットやデータ形式を、検索元に応じて変更する。よって、広告商品情報生成装置２は、広告商品情報の検索元が利用しやすいように広告商品情報を提供できる。
【００４１】
なお、上記においては、広告商品画像生成部２５３は、図５のステップＳ１２５において、広告商品画像を生成しているが、ステップＳ１３０〜Ｓ１３５と並行して、あるいは、ステップＳ１３５の後に生成してもよい。また、広告商品画像生成部２５３は、広告商品情報生成装置２が検索条件を受信した後に、広告商品画像を生成してもよい。この場合、図５のステップＳ１４０において、広告商品画像又は広告商品画像の記憶場所に代えて、広告画像の識別情報又は記憶場所と、選択された掲載領域の情報とを設定した広告商品情報を生成する。広告商品画像生成部２５３は、図７のステップＳ２１０において選択された広告商品情報に設定されている広告画像の識別情報又は記憶場所と、掲載領域の情報とに基づいて、広告画像における掲載領域の画像を抽出し、広告商品画像を生成する。また、あるいは、情報提供部２５５は、検索結果情報に、広告商品情報とサイズの組合せに対応したＵＲＬを設定しておく。広告商品情報提供装置３が、そのＵＲＬを用いて広告商品情報生成装置２にアクセスした場合、広告商品画像生成部２５３は、ＵＲＬにより特定される広告商品情報に設定されている広告画像の識別情報又は記憶場所と、掲載領域の情報を読み出す。広告商品画像生成部２５３は、広告画像の識別情報又は記憶場所を用いて広告画像を読み出し、掲載領域の画像を抽出する。広告商品画像生成部２５３は、抽出した画像に基づいて、ＵＲＬにより特定されるサイズの広告商品画像を生成し、広告商品情報提供装置３に返送する。
【００４２】
なお、上述の広告商品情報生成装置２、広告商品情報提供装置３及びユーザ端末４は、内部にコンピュータシステムを有している。そして、広告商品情報生成装置２、広告商品情報提供装置３及びユーザ端末４の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【００４３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００４４】
以上、この発明の実施形態について図面を参照して詳述してきたが、具体的な構成はこの実施形態に限られるものではなく、この発明の要旨を逸脱しない範囲の設計等も含まれる。
【符号の説明】
【００４５】
１  広告商品情報提供システム
２  広告商品情報生成装置
３  広告商品情報提供装置
４  ユーザ端末
８、９  ネットワーク
２１  記憶部
２２  入力部
２３  表示部
２４  通信部
２５  処理部
２１１  広告記憶部
２１２  広告商品情報記憶部
２５１  表示制御部
２５２  領域情報受信部
２５３  広告商品画像生成部
２５４  広告商品情報生成部
２５５  情報提供部
【図１】
2017182728.tif 000003
【図２】
2017182728.tif 000004
【図３】
2017182728.tif 000005
【図４】
2017182728.tif 000006
【図５】
2017182728.tif 000007
【図６】
2017182728.tif 000008
【図７】
2017182728.tif 000009
【図８】
2017182728.tif 000010
【図９】
2017182728.tif 000011